(57)【要約】【課題】確実な通信性能の保証を可能とする、ＵＤＤＩ（Ｕｎｉｖｅｒｓａｌ  Ｄｅｓｃｒｉｐｔｉｏｎ，  Ｄｉｓｃｏｖｅｒｙ  ａｎｄ  Ｉｎｔｅｇｒａｔｉｏｎ）を介したＷｅｂサービス利用時におけるネットワーク提供方法及びサーバを提供する。【解決手段】ネットワークの通信性能情報を蓄積するネットワーク通信性能蓄積手段を有するネットワーク提供サーバ１１と、パブリックＵＤＤＩサーバ１０からＷｅｂサービスのＵＤＤＩ情報を複製して蓄積し公開するプライベートＵＤＤＩサーバ１２とを有し、サービス・リクエスタ・サーバ３が、プライベートＵＤＤＩサーバ１２に蓄積されたＵＤＤＩ情報を検索し、プライベートＵＤＤＩサーバ１２が、Ｗｅｂサービスの検索情報を提供すると共に、ネットワークの通信性能情報を、ネットワーク提供サーバ１１を用いてサービス・リクエスタ・サーバ３へ提供し、保証されたネットワークを提供する。【選択図】      図２
2004246784.tif 000002
【特許請求の範囲】
【請求項１】
Ｗｅｂサービスを提供するサービス・プロバイダ・サーバと、該ＷｅｂサービスのＵＤＤＩ情報を蓄積し公開するパブリックＵＤＤＩサーバと、前記Ｗｅｂサービスを検索するサービス・リクエスタ・サーバと、該サービス・リクエスタ・サーバと前記サービス・プロバイダ・サーバとの間にネットワークを提供するネットワークプロバイダ設備装置とを有するシステムにおけるネットワーク提供方法であって、
前記ネットワークプロバイダ設備装置から取得した、前記ネットワークの通信性能情報を蓄積するネットワーク通信性能蓄積手段を有するネットワーク提供サーバと、
前記パブリックＵＤＤＩサーバから前記ＷｅｂサービスのＵＤＤＩ情報を複製して蓄積し公開するプライベートＵＤＤＩサーバと、を更に有しており、
前記サービス・リクエスタ・サーバが、前記プライベートＵＤＤＩサーバに蓄積された前記ＵＤＤＩ情報を検索するステップと、
前記プライベートＵＤＤＩサーバが、前記Ｗｅｂサービスの検索情報を提供すると共に、前記サービス・リクエスタ・サーバの最寄アクセスポイントと、前記サービス・プロバイダ・サーバの最寄アクセスポイントとの間のネットワークの通信性能情報を、前記ネットワーク提供サーバを用いて前記サービス・リクエスタ・サーバへ提供するステップと
を有することを特徴とするネットワーク提供方法。
【請求項２】
前記ネットワーク提供サーバは、バックエンド性能蓄積手段を更に有しており、
前記ネットワーク提供サーバが、前記サービス・プロバイダ・サーバへ定期的に測定用データを送信し、該サービス・プロバイダ・サーバから応答データを受信し、前記サービス・プロバイダ・サーバのバックエンドシステムの性能を測定し、該測定された性能情報を前記バックエンド性能蓄積手段に蓄積するステップと、
前記プライベートＵＤＤＩサーバが、前記Ｗｅｂサービスの前記検索情報を提供すると共に、前記Ｗｅｂサービスを提供する前記サービス・プロバイダ・サーバの前記性能情報を、前記ネットワーク提供サーバを用いて前記サービス・リクエスタ・サーバへ提供するステップと
を更に有することを特徴とする請求項１に記載のネットワーク提供方法。
【請求項３】
前記ネットワーク提供サーバの前記ネットワーク通信性能蓄積手段は、前記ネットワークについて保証される複数のサービス品質情報を更に蓄積しており、
前記プライベートＵＤＤＩサーバが、前記Ｗｅｂサービスの前記検索情報を提供すると共に、前記複数のサービス品質情報を、前記ネットワーク提供サーバを用いて前記サービス・リクエスタ・サーバへ提供するステップを更に有することを特徴とする請求項１又は２に記載のネットワーク提供方法。
【請求項４】
前記ネットワーク提供サーバが、前記サービス・プロバイダ・サーバと前記サービス・リクエスタ・サーバとの間で前記Ｗｅｂサービスが提供された際に、該Ｗｅｂサービスの使用金額情報を、前記ネットワーク・プロバイダ設備装置の課金手段へ送信するステップと、
前記ネットワーク・プロバイダ設備装置の課金手段は、前記Ｗｅｂサービスの使用金額情報に基づいて課金するステップと
を有することを特徴とする請求項１から３のいずれか１項に記載のネットワーク提供方法。
【請求項５】
Ｗｅｂサービスを提供するサービス・プロバイダ・サーバと、該ＷｅｂサービスのＵＤＤＩ情報を蓄積し公開するパブリックＵＤＤＩサーバと、前記Ｗｅｂサービスを検索するサービス・リクエスタ・サーバと、該サービス・リクエスタ・サーバと前記サービス・プロバイダ・サーバとの間にネットワークを提供するネットワークプロバイダ設備装置とを有するネットワーク提供システムであって、
ネットワーク提供サーバと、プライベートＵＤＤＩサーバとを更に有し、
前記ネットワーク提供サーバは、前記ネットワークプロバイダ設備装置から取得した、前記ネットワークの通信性能情報を蓄積するネットワーク通信性能蓄積手段と、該通信性能情報を前記プライベートＵＤＤＩサーバへ提供するＵＤＤＩインタフェース手段とを有し、
前記プライベートＵＤＤＩサーバは、前記パブリックＵＤＤＩサーバから前記ＷｅｂサービスのＵＤＤＩ情報を複製して蓄積し、前記サービス・リクエスタ・サーバからの要求に対して、該Ｗｅｂサービスの検索情報を提供すると共に、前記サービス・リクエスタ・サーバの最寄アクセスポイントと、前記サービス・プロバイダ・サーバの最寄アクセスポイントとの間のネットワークの通信性能情報を、前記ネットワーク提供サーバを用いて前記サービス・リクエスタ・サーバへ提供するものであることを特徴とするネットワーク提供システム。
【請求項６】
前記ネットワーク提供サーバは、前記サービス・プロバイダ・サーバへ定期的に測定用データを送信し、該サービス・プロバイダ・サーバから応答データを受信し、前記サービス・プロバイダ・サーバのバックエンドシステムの性能を測定し、該測定された性能情報を蓄積するバックエンド性能蓄積手段を更に有しており、
前記プライベートＵＤＤＩサーバは、前記Ｗｅｂサービスの前記検索情報を提供すると共に、前記Ｗｅｂサービスを提供する前記サービス・プロバイダ・サーバの前記性能情報を、前記ネットワーク提供サーバを用いて前記サービス・リクエスタ・サーバへ提供するように構成されていることを特徴とする請求項５に記載のネットワーク提供システム。
【請求項７】
前記ネットワーク提供サーバの前記ネットワーク通信性能蓄積手段は、前記ネットワークについて保証される複数のサービス品質情報を更に蓄積しており、
前記プライベートＵＤＤＩサーバが、前記Ｗｅｂサービスの前記検索情報を提供すると共に、前記複数のサービス品質情報を、前記ネットワーク提供サーバを用いて前記サービス・リクエスタ・サーバへ提供するように構成されていることを特徴とする請求項５又は６に記載のネットワーク提供システム。
【請求項８】
前記ネットワーク提供サーバは、前記サービス・プロバイダ・サーバと前記サービス・リクエスタ・サーバとの間で前記Ｗｅｂサービスが提供された際に、該Ｗｅｂサービスの使用金額情報を、前記ネットワーク・プロバイダ設備装置の課金手段へ送信する代行決済手段を更に有し、
前記ネットワーク・プロバイダ設備装置の課金手段は、前記Ｗｅｂサービスの使用金額情報に基づいて課金するように構成されていることを特徴とする請求項５から７のいずれか１項に記載のネットワーク提供システム。
【請求項９】
Ｗｅｂサービスを提供するサービス・プロバイダ・サーバと、該ＷｅｂサービスのＵＤＤＩ情報を蓄積し公開するパブリックＵＤＤＩサーバと、前記Ｗｅｂサービスを検索するサービス・リクエスタ・サーバと、該サービス・リクエスタ・サーバと前記サービス・プロバイダ・サーバとの間にネットワークを提供するネットワークプロバイダ設備装置と、前記パブリックＵＤＤＩサーバから前記ＷｅｂサービスのＵＤＤＩ情報を複製して蓄積し公開するプライベートＵＤＤＩサーバとを有するシステムに備えられるネットワーク提供サーバであって、
前記ネットワークプロバイダ設備装置から取得した、前記ネットワークの通信性能情報を蓄積するネットワーク通信性能蓄積手段と、
前記ネットワークにおける前記サービス・リクエスタ・サーバの最寄アクセスポイントと、前記サービス・プロバイダ・サーバの最寄アクセスポイントとの間の通信性能情報を、前記プライベートＵＤＤＩサーバへ提供するＵＤＤＩインタフェース手段と
を有することを特徴とするネットワーク提供サーバ。
【請求項１０】
前記サービス・プロバイダ・サーバへ定期的に測定用データを送信し、該サービス・プロバイダ・サーバから応答データを受信し、前記サービス・プロバイダ・サーバのバックエンドシステムの性能を測定し、該測定された性能情報を蓄積するバックエンド性能蓄積手段を更に有し、
前記ＵＤＤＩインタフェース手段は、前記Ｗｅｂサービスを提供する前記サービス・プロバイダ・サーバの前記性能情報を、前記プライベートＵＤＤＩサーバへ提供することを特徴とする請求項９に記載のネットワーク提供サーバ。
【請求項１１】
前記ネットワーク通信性能蓄積手段は、前記ネットワークについて保証される複数のサービス品質情報を更に蓄積しており、
前記ＵＤＤＩインタフェース手段は、前記複数のサービス品質情報を、前記プライベートＵＤＤＩサーバへ提供することを特徴とする請求項９又は１０に記載のネットワーク提供サーバ。
【請求項１２】
前記サービス・プロバイダ・サーバと前記サービス・リクエスタ・サーバとの間で前記Ｗｅｂサービスが提供された際に、該Ｗｅｂサービスの使用金額情報を、前記ネットワークプロバイダ設備装置の課金手段へ送信する代行決済手段を更に有することを特徴とする請求項９から１１のいずれか１項に記載のネットワーク提供サーバ。
【発明の詳細な説明】
【０００１】
【発明の属する技術分野】
本発明は、Ｗｅｂサービス利用時におけるネットワーク提供方法、システム及びサーバに関する。特に、本発明は、企業間商取引のためのＵＤＤＩ（Ｕｎｉｖｅｒｓａｌ  Ｄｅｓｃｒｉｐｔｉｏｎ，  Ｄｉｓｃｏｖｅｒｙ  ａｎｄ  Ｉｎｔｅｇｒａｔｉｏｎ）に関する。ＵＤＤＩとは、Ｗｅｂサービスの登録、検索及び閲覧等のためのインターネット上のサービス仲介者の仕組みを意味する。
【０００２】
【従来の技術】
図１は、従来のシステム構成図である。
【０００３】
図１によれば、Ｗｅｂサービスの登録・検索等が誰にでも許可されているＵＤＤＩレジストリを有するパブリックＵＤＤＩサーバ１０と、Ｗｅｂサービスを提供するサービス・プロバイダ・サーバ２と、Ｗｅｂサービスを検索するサービス・リクエスタ・サーバ３と、Ｗｅｂブラウザを用いてＷｅｂサービスを利用するエンドユーザ端末５とから構成されている。Ｗｅｂサービスとは、分散配置されたオブジェクト同士又はシステム同士が、インターネット上で実装環境に依存することなく動的に連携するための技術である。
【０００４】
エンドユーザ端末５は、Ｗｅｂブラウザを用いてサービス・リクエスタ・サーバ３へアクセスし、要求するＷｅｂサービスの条件をユーザに入力させる。エンドユーザ端末５からのリクエストを受信したサービス・リクエスタ・サーバ３は、インターネット上で、当該条件を満たすサービスを提供するサービス・プロバイダ・サーバ２を動的に検索する。このようなＷｅｂサービスは、代表的な標準化機構ＯＡＳＩＳ（Ｏｒｇａｎｉｚａｔｉｏｎ  ｆｏｒ  Ａｄｖａｎｃｅｍｅｎｔ  ｏｆ  Ｓｔｒｕｃｔｕｒｅｄ  Ｉｎｆｏｒｍａｔｉｏｎ  Ｓｔａｎｄａｒｄｓ）（例えば非特許文献１参照）、又はＷ３Ｃ（Ｔｈｅ  Ｗｏｒｌｄ  Ｗｉｄｅ  Ｗｅｂ  Ｃｏｎｓｏｒｔｉｕｍ）のＷｅｂサービスワーキンググループ（例えば非特許文献２参照）によって規定されている。
【０００５】
パブリックＵＤＤＩサーバ１０は、Ｗｅｂサービスにおけるビジネス・レジストリの役割を果たすものであり、幾多のＷｅｂサービスをインターネット上に公開し、サービス・リクエスタ・サーバ３からの照会に応えるサービス・ブローカである。
【０００６】
サービス・プロバイダ・サーバ２は、提供するＷｅｂサービスをインターネットに公開する最も効率的な手段として、Ｗｅｂサービスのインタフェース情報の記述言語であるＷＳＤＬ（Ｗｅｂ  Ｓｅｒｖｉｃｅｓ  Ｄｅｓｃｒｉｐｔｉｏｎ  Ｌａｎｇｕａｇｅ）によって、ＵＤＤＩサーバへの登録を行っている。ＯＡＳＩＳのＵＤＤＩ．ｏｒｇによれば、２００２年１０月中旬現在世界中で４社のパブリックＵＤＤＩサーバを認定している（例えば非特許文献３参照）。一方、ＵＤＤＩの最新の仕様であるＵＤＤＩｖｅｒ．３．０では、ＵＤＤＩ検索情報の相互的な複製又は同期についても推奨しており、組織単位でのプライベートなＵＤＤＩが立ち上がり始めている。
【０００７】
インターネット上に公開されたＷｅｂサービスは、サービス・リクエスタ・サーバ３により照会される。パブリックＵＤＤＩサーバ１０は、サービス・リクエスタ・サーバ３からの照会に対して、リクエストに該当するＷｅｂサービスのＵＲＩ（Ｕｎｉｆｏｒｍ  Ｒｅｓｏｕｒｃｅ  Ｉｄｅｎｔｉｆｉｅｒｓ）と、環境やデータ型等のインタフェース情報へのリンク情報とを、ＳＯＡＰ（Ｓｉｍｐｌｅ  Ｏｂｊｅｃｔ  Ａｃｃｅｓｓ  Ｐｒｏｔｏｃｏｌ）を用いてサービス・リクエスタ・サーバ３へ提供する。これにより、サービス・リクエスタ・サーバ３は、希望するＷｅｂサービスにインターネットの網を利用してアクセスし且つ接続することができ、サービスの提供を受けることが可能となる。尚、ＳＯＡＰとは、非集中及び分散環境における情報交換のための軽量のプロトコルである。
【０００８】
以上のように、パブリックＵＤＤＩサーバ１０と、サービス・プロバイダ・サーバ２と、サービス・リクエスタ・サーバ３との三者が、インターネット上で動的に情報を交換するというＷｅｂサービスのアーキテクチャによって、最適なサービスを提供することが可能となる。
【０００９】
【非特許文献１】
”ＯＡＳＩＳ”、［ｏｎｌｉｎｅ］、［平成１５年１月２４日検索］、インターネット＜ＵＲＬ：  ｈｔｔｐ：／／ｗｗｗ．ｏａｓｉｓ−ｏｐｅｎ．ｏｒｇ＞
【非特許文献２】
”Ｗ３Ｃ”、［ｏｎｌｉｎｅ］、［平成１５年１月２４日検索］、インターネット＜ＵＲＬ：  ｈｔｔｐ：／／ｗｗｗ．ｗ３．ｏｒｇ／２００２／Ｗｓ＞
【非特許文献３】
”ＵＤＤＩ標準仕様”、［ｏｎｌｉｎｅ］、［平成１５年１月２４日検索］、インターネット＜ＵＲＬ：  ｈｔｔｐ：／／ｗｗｗ．ｕｄｄｉ．ｏｒｇ＞
【００１０】
【発明が解決しようとする課題】
しかしながら、前述した従来技術のＷｅｂサービスアーキテクチャにおいては、インターネットで利用される物理的な回線については何ら特定していない。通常、パブリックＵＤＤＩサーバ１０は、サービス・リクエスタ・サーバ３に対して、Ｗｅｂサービスヘの接続情報のみを提供可能であり、Ｗｅｂサービスを利用する際のネットワーク環境における網内遅延時間又はデータ損失率の保証等までは行っていなかった。即ち、サービス・リクエスタ・サーバ３は、パブリックＵＤＤＩサーバ１０を介してサービス・プロバイダ・サーバ２を照会することはできるものの、そのＷｅｂサービスの提供を受けるためにどの程度の応答時間を要するのか等を推定することが困難であった。
【００１１】
また、安全性の保証も無いため、Ｗｅｂサービスの利用により最も大きな効果が期待される企業間商取引市場において、ミッションクリティカルな企業間システム連携が要求される局面における不安を拭い切れないものがあった。
【００１２】
更に、サービス・プロバイダ・サーバ２においては、パブリックＵＤＤＩサーバ１０又はサービス・リクエスタ・サーバ３との間におけるＷｅｂサービスの通信性能については、全く保証する手段を持たなかった。Ｗｅｂサービスの通信性能とは、具体的には、サービス・プロバイダ・サーバ２とサービス・リクエスタ・サーバ３との間の物理的なリンクを形成するネットワーク・プロバイダ４における最寄のアクセスポイント間での、Ｗｅｂサービス提供時における遅延時間、データ損失率、通信内容の安全性の保証等を含めたネットワーク性能を意味する。
【００１３】
そこで、本発明は、確実な通信性能の保証を可能とする、ＵＤＤＩを介したＷｅｂサービス利用時におけるネットワーク提供方法、システム及びサーバを提供することを目的とする。
【００１４】
【課題を解決するための手段】
本発明は、Ｗｅｂサービスを提供するサービス・プロバイダ・サーバと、該ＷｅｂサービスのＵＤＤＩ情報を蓄積し公開するパブリックＵＤＤＩサーバと、Ｗｅｂサービスを検索するサービス・リクエスタ・サーバと、該サービス・リクエスタ・サーバとサービス・プロバイダ・サーバとの間にネットワークを提供するネットワークプロバイダ設備装置とを有する、ネットワーク提供方法、システム及びサーバに関する。
【００１５】
本発明のネットワーク提供方法によれば、
ネットワークプロバイダ設備装置から取得した、ネットワークの通信性能情報を蓄積するネットワーク通信性能蓄積手段を有するネットワーク提供サーバと、
パブリックＵＤＤＩサーバからＷｅｂサービスのＵＤＤＩ情報を複製して蓄積し公開するプライベートＵＤＤＩサーバと、を更に有しており、
サービス・リクエスタ・サーバが、プライベートＵＤＤＩサーバに蓄積されたＵＤＤＩ情報を検索するステップと、
プライベートＵＤＤＩサーバが、Ｗｅｂサービスの検索情報を提供すると共に、サービス・リクエスタ・サーバの最寄アクセスポイントと、サービス・プロバイダ・サーバの最寄アクセスポイントとの間のネットワークの通信性能情報を、ネットワーク提供サーバを用いてサービス・リクエスタ・サーバへ提供するステップと
を有することを特徴とする。
【００１６】
本発明のネットワーク提供方法における他の実施形態によれば、
ネットワーク提供サーバは、バックエンド性能蓄積手段を更に有しており、
ネットワーク提供サーバが、サービス・プロバイダ・サーバへ定期的に測定用データを送信し、該サービス・プロバイダ・サーバから応答データを受信し、サービス・プロバイダ・サーバのバックエンドシステムの性能を測定し、該測定された性能情報をバックエンド性能蓄積手段に蓄積するステップと、
プライベートＵＤＤＩサーバが、Ｗｅｂサービスの検索情報を提供すると共に、Ｗｅｂサービスを提供するサービス・プロバイダ・サーバの性能情報を、ネットワーク提供サーバを用いてサービス・リクエスタ・サーバへ提供するステップと
を更に有することも好ましい。
【００１７】
また、本発明のネットワーク提供方法における他の実施形態によれば、
ネットワーク提供サーバのネットワーク通信性能蓄積手段は、ネットワークについて保証される複数のサービス品質情報を更に蓄積しており、
プライベートＵＤＤＩサーバが、Ｗｅｂサービスの検索情報を提供すると共に、複数のサービス品質情報を、ネットワーク提供サーバを用いてサービス・リクエスタ・サーバへ提供するステップを更に有することも好ましい。
【００１８】
更に、本発明のネットワーク提供方法における他の実施形態によれば、
ネットワーク提供サーバが、サービス・プロバイダ・サーバとサービス・リクエスタ・サーバとの間でＷｅｂサービスが提供された際に、該Ｗｅｂサービスの使用金額情報を、ネットワーク・プロバイダ設備装置の課金手段へ送信するステップと、
ネットワーク・プロバイダ設備装置の課金手段は、Ｗｅｂサービスの使用金額情報に基づいて課金するステップと
を有することも好ましい。
【００１９】
本発明のネットワーク提供システムによれば、
ネットワーク提供サーバと、プライベートＵＤＤＩサーバとを更に有し、
ネットワーク提供サーバは、ネットワークプロバイダ設備装置から取得した、ネットワークの通信性能情報を蓄積するネットワーク通信性能蓄積手段と、該通信性能情報をプライベートＵＤＤＩサーバへ提供するＵＤＤＩインタフェース手段とを有し、
プライベートＵＤＤＩサーバは、パブリックＵＤＤＩサーバからＷｅｂサービスのＵＤＤＩ情報を複製して蓄積し、サービス・リクエスタ・サーバからの要求に対して、該Ｗｅｂサービスの検索情報を提供すると共に、サービス・リクエスタ・サーバの最寄アクセスポイントと、サービス・プロバイダ・サーバの最寄アクセスポイントとの間のネットワークの通信性能情報を、ネットワーク提供サーバを用いてサービス・リクエスタ・サーバへ提供するものであることを特徴とする。
【００２０】
本発明のネットワーク提供システムにおける他の実施形態によれば、
ネットワーク提供サーバは、サービス・プロバイダ・サーバへ定期的に測定用データを送信し、該サービス・プロバイダ・サーバから応答データを受信し、サービス・プロバイダ・サーバのバックエンドシステムの性能を測定し、該測定された性能情報を蓄積するバックエンド性能蓄積手段を更に有しており、
プライベートＵＤＤＩサーバは、Ｗｅｂサービスの検索情報を提供すると共に、Ｗｅｂサービスを提供するサービス・プロバイダ・サーバの性能情報を、ネットワーク提供サーバを用いてサービス・リクエスタ・サーバへ提供するように構成されていることも好ましい。
【００２１】
また、本発明のネットワーク提供システムにおける他の実施形態によれば、
ネットワーク提供サーバのネットワーク通信性能蓄積手段は、ネットワークについて保証される複数のサービス品質情報を更に蓄積しており、
プライベートＵＤＤＩサーバが、Ｗｅｂサービスの検索情報を提供すると共に、複数のサービス品質情報を、ネットワーク提供サーバを用いてサービス・リクエスタ・サーバへ提供するように構成されていることも好ましい。
【００２２】
更に、本発明のネットワーク提供システムにおける他の実施形態によれば、
ネットワーク提供サーバは、サービス・プロバイダ・サーバとサービス・リクエスタ・サーバとの間でＷｅｂサービスが提供された際に、該Ｗｅｂサービスの使用金額情報を、ネットワーク・プロバイダ設備装置の課金手段へ送信する代行決済手段を更に有し、
ネットワーク・プロバイダ設備装置の課金手段は、Ｗｅｂサービスの使用金額情報に基づいて課金するように構成されていることも好ましい。
【００２３】
本発明のネットワーク提供サーバによれば、
ネットワークプロバイダ設備装置から取得した、ネットワークの通信性能情報を蓄積するネットワーク通信性能蓄積手段と、
ネットワークにおけるサービス・リクエスタ・サーバの最寄アクセスポイントと、サービス・プロバイダ・サーバの最寄アクセスポイントとの間の通信性能情報を、プライベートＵＤＤＩサーバへ提供するＵＤＤＩインタフェース手段と
を有することを特徴とする。
【００２４】
本発明のネットワーク提供サーバにおける他の実施形態によれば、
サービス・プロバイダ・サーバへ定期的に測定用データを送信し、該サービス・プロバイダ・サーバから応答データを受信し、サービス・プロバイダ・サーバのバックエンドシステムの性能を測定し、該測定された性能情報を蓄積するバックエンド性能蓄積手段を更に有し、
ＵＤＤＩインタフェース手段は、Ｗｅｂサービスを提供するサービス・プロバイダ・サーバの性能情報を、プライベートＵＤＤＩサーバへ提供することも好ましい。
【００２５】
また、本発明のネットワーク提供サーバにおける他の実施形態によれば、
ネットワーク通信性能蓄積手段は、ネットワークについて保証される複数のサービス品質情報を更に蓄積しており、
ＵＤＤＩインタフェース手段は、複数のサービス品質情報を、プライベートＵＤＤＩサーバへ提供することも好ましい。
【００２６】
更に、本発明のネットワーク提供サーバにおける他の実施形態によれば、
サービス・プロバイダ・サーバとサービス・リクエスタ・サーバとの間でＷｅｂサービスが提供された際に、該Ｗｅｂサービスの使用金額情報を、ネットワークプロバイダ設備装置の課金手段へ送信する代行決済手段を更に有することも好ましい。
【００２７】
【発明の実施の形態】
以下、本発明の実施の形態を図面により詳細に説明する。
【００２８】
図２は、本発明によるシステム構成図である。
【００２９】
図２は、図１と比較して、ネットワーク提供サーバ１１及びプライベートＵＤＤＩサーバ１２がネットワーク４に更に備えられている。本発明によれば、ネットワーク提供サーバ１１及びプライベートＵＤＤＩサーバ１２は、ネットワークを提供するネットワーク・プロバイダ毎に備えるものであってもよいし、複数のネットワークに対応して備えられるものであってもよい。また、ネットワーク提供サーバ１１内にプライベートＵＤＤＩサーバ１２の機能が取り込まれたものであってもよい。
【００３０】
以下では、図２に示されたシーケンス▲１▼〜▲８▼に沿って説明する。尚、Ｗｅｂサービスの検索情報と共に提供されるネットワーク通信性能情報を提供することを、通信性能保証サービスという。ネットワーク通信性能情報とは、Ｗｅｂサービス提供時における遅延時間、データ損失率、通信内容の安全性の保証等を含めたネットワーク性能を意味する。ネットワークとは、サービス・プロバイダ・サーバ２とサービス・リクエスタ・サーバ３との最寄のアクセスポイント間における物理的なリンクを意味する。
【００３１】
▲１▼パブリックＵＤＤＩサーバ１０は、サービス・プロバイダ・サーバ２からのＷｅｂサービスの登録を受け付け、インターネット上に公開する。Ｗｅｂサービスの登録に関しては、ＯＡＳＩＳのＵＤＤＩ．ｏｒｇで規定されているＵＤＤＩの標準仕様に基づく。
【００３２】
▲２▼サービス・プロバイダ・サーバ２は、Ｗｅｂサービスを登録した旨を、ネットワーク提供サーバ１１及びプライベートＵＤＤＩサーバ１２へ通知する。ネットワーク提供サーバ１１は、登録サービスプロバイダデータベースに登録する。また、ネットワーク提供サーバ１１は、ネットワーク内の通信性能情報を、ネットワークプロバイダ設備装置から逐次収集し、蓄積している。
【００３３】
▲３▼プライベートＵＤＤＩサーバ１２は、通信性能保証サービスに加入しているサービス・プロバイダ・サーバ２について、パブリックＵＤＤＩサーバ１０からＵＤＤＩ情報を複製する。
【００３４】
▲４▼ネットワーク提供サーバ１１は、通信性能保証サービスに加入しているサービス・プロバイダ・サーバ２に対して、定期的に測定用データを送信し、そのサービス・プロバイダ・サーバ２から応答を受信し、そのサービス・プロバイダ・サーバ２のバックエンドシステムにおける通信性能の測定を定期的に行う。この測定された通信性能情報は、ネットワーク通信性能データベースに蓄積される。また、この通信性能情報は、プライベートＵＤＤＩサーバ１２へ提供され、プライベートＵＤＤＩサーバ１２によってサービス・リクエスタ・サーバ３へ公開される。ネットワーク通信性能データベースは、更に、ネットワークについて保証される、品質レベルに応じた複数のサービス品質情報（ＱｏＳ：Ｑｕａｌｉｔｙ  ｏｆ  Ｓｅｒｖｉｃｅ）も蓄積する。このサービス品質情報も、プライベートＵＤＤＩサーバ１２へ提供され、プライベートＵＤＤＩサーバ１２によってサービス・リクエスタ・サーバ３へ公開される。これにより、サービス・リクエスタ・サーバ３によって選択されたサービス品質情報に基づくネットワークを提供することができる。
【００３５】
▲５▼サービス・リクエスタ・サーバ３は、要求するＷｅｂサービスをインターネット上で検索する。このとき、通信性能保証サービスに加入しているサービス・プロバイダ・サーバ２が提供するＷｅｂサービスについては、プライベートＵＤＤＩサーバ１２にアクセスして、検索する。
【００３６】
▲６▼サービス・リクエスタ・サーバ３は、プライベートＵＤＤＩサーバ１２から、必要なＷｅｂサービスの検索情報を得ることができる。このとき、プライベートＵＤＤＩサーバ１２は、Ｗｅｂサービスの検索情報を提供すると共に、ネットワーク提供サーバ１１に蓄積されたネットワーク性能情報、バックエンドシステムにおける通信性能情報及びサービス品質情報を、サービス・リクエスタ・サーバ３へ提供する。図２におけるネットワーク通信性能情報は、サービス・リクエスタ・サーバ３に対するネットワーク・プロバイダ４の最寄のアクセスポイント＃２１から、該サービス・プロバイダ・サーバ２に対する最寄アクセスポイント＃２２までの間のものである。
【００３７】
▲７▼サービス・リクエスタ・サーバ３は、アクセスするＷｅｂサービスについて、通信性能保証サービスを利用して通信することを決定し、サービス・プロバイダ・サーバ２へアクセスする。このとき、ネットワーク・プロバイダが、ネットワーク設備装置を用いてネットワークを提供することにより、サービス・プロバイダ・サーバ２との間に物理的なリンクを形成する。
【００３８】
▲８▼尚、Ｗｅｂサービス提供後に、ネットワーク提供サーバ１１は、エンドユーザ端末５に対して当該Ｗｅｂサービスの利用における課金が発生した場合、その料金の決済を代行し、ネットワークプロバイダ設備装置の課金部へ課金させることができる。これにより、サービス・リクエスタ・サーバ３又はエンドユーザ端末５の利用者は、複数サービスの料金を、ネットワーク・プロバイダへ一括して支払うことができると同時に、支払い形態を様々に選択することができる。
【００３９】
図３は、本発明によるネットワーク提供を示すシステム構成図である。
【００４０】
図３によれば、図２のシーケンスの後で、サービス・リクエスタ・サーバ３と、サービス・プロバイダ・サーバ２との間で、ネットワーク４が提供されている。ここでは、図３に示すように、リクエスト・メッセージは、サービス・リクエスタ・サーバ３の最寄のアクセスポイント＃３１から、通信設備を提供するネットワーク・プロバイダの提供するネットワーク４を経由して、サービス・プロバイダ・サーバ２に対するネットワーク４の最寄のアクセスポイント＃３２へ至る。ここで、アクセスポイント＃３１とアクセスポイント＃３２との間のネットワーク環境が保証される。これにより、ネットワーク４の保証するネットワーク環境で通信することができ、通常、安全性又はサービスの品質が不特定なインターネット上で行われるＷｅｂサービス通信に対して、信頼性を持たせることが可能となる。もちろん、この時に、通常のインターネットを利用したＷｅｂサービス実行も選択可能である。
【００４１】
図４は、本発明によるネットワーク提供サーバ１１の機能構成図である。
【００４２】
図４によれば、登録サービスプロバイダデータベース１１０と、ネットワーク通信性能データベース１１１と、バックエンド性能データベース１１２と、ＵＤＤＩインタフェース部１１３と、代行決済部１１４とを有する。
【００４３】
登録サービスプロバイダデータベース１１０は、通信性能保証サービスに加入しているサービス・プロバイダ・サーバ２についての登録情報を蓄積する。
【００４４】
ネットワーク通信性能データベース１１１は、ネットワークプロバイダ設備装置によって提供されるネットワーク４内の通信性能情報を蓄積する。
【００４５】
バックエンド性能データベース１１２は、定期的に測定用データをサービス・プロバイダ・サーバ２へ送信し、応答を受信することによって得られたサービス・プロバイダ・サーバ２のバックエンドシステムにおける通信性能情報を蓄積する。Ｗｅｂサービスの提供品質は、実際には、ネットワーク通信性能だけでなく、サービス・プロバイダ・サーバ２のバックエンドシステムの通信性能又は負荷状況にも依存するからである。もちろん、サービス・プロバイダ・サーバ２自ら、その通信性能情報を、ネットワーク提供サーバ１１へ送信し、バックエンド性能データベース１１２に蓄積するものであってもよい。
【００４６】
ＵＤＤＩインタフェース部１１３は、プライベートＵＤＤＩサーバ１２とのインタフェースを担う。ＵＤＤＩインタフェース部１１３は、ネットワーク通信性能情報と、バックエンドシステムの通信性能情報と、サービス品質情報とを、プライベートＵＤＤＩサーバ１２へ提供する。
【００４７】
代行決済部１１４は、サービス・プロバイダ・サーバ２とサービス・リクエスタ・サーバ３との間でＷｅｂサービスの商取引が成立した際に、その決済代金情報を、当該ネットワーク・プロバイダの所持するネットワークプロバイダ設備装置６のネットワークプロバイダ課金部６へ送信する。
【００４８】
前述した、図２及び図３によれば、サービス・リクエスタ・サーバ３とサービス・プロバイダ・サーバ２とが利用するネットワーク・プロバイダが、同一である場合を想定している。しかしながら、ネットワーク・プロバイダが異なっていても、ネットワーク・プロバイダ間で契約を結んでおくことにより、それぞれの間を結ぶネットワークの提供は可能である。
【００４９】
図５は、異なるＩＳＰ（ＩＳＰ−Ａ）に加入するサービス・リクエスタ・サーバ３からのアクセス時における本発明のシステム構成図である。
【００５０】
ネットワーク・プロバイダは、サービス・リクエスタ・サーバ３の属するＩＳＰ−Ａに対するネットワーク４の最寄アクセスポイント＃４１から、サービス・プロバイダ・サーバ２に対するネットワーク４の最寄アクセスポイント＃４２までの通信設備を提供し、その通信性能情報をサービス・リクエスタ・サーバ３に提供する。尚、この場合、サービス・リクエスタ・サーバ３に対し発生し得るネットワーク使用料は、アクセスポイント＃４１からアクセスポイント＃４２までの部分の利用に対するものである。また、これに加えてＷｅｂサービスの利用料が発生することもある。
【００５１】
図６は、異なるＩＳＰ（ＩＳＰ−Ｂ）に加入するサービス・プロバイダ・サーバ２の検索における本発明のシステム構成図である。
【００５２】
ネットワーク・プロバイダは、サービス・リクエスタ・サーバ３に対する最寄アクセスポイント＃５１から、サービス・プロバイダ・サーバ２の加入するＩＳＰ‐Ｂに対する最寄アクセスポイント＃５２までの通信設備を保証し、その通信性能情報をサービス・リクエスタ・サーバ３に提供する。尚、この場合、サービス・リクエスタ・サーバ３に対し発生し得るネットワーク使用料はＩＳＰ−Ｂにおけるネットワークの利用に対するものである。また、これに加えてＷｅｂサービスの利用料が発生することもある。
【００５３】
図７は、異なるＩＳＰ（ＩＳＰ−Ａ）に加入するサービス・リクエスタ・サーバ３と、異なるＩＳＰ（ＩＳＰ−Ｂ）に加入するサービス・プロバイダ・サーバ２との間で、ネットワークを提供する本発明によるシステム構成図である。
【００５４】
この場合、ネットワーク・プロバイダ４は、サービス・リクエスタ・サーバ３の加入するＩＳＰ−Ａに対するネットワーク・プロバイダ４の最寄アクセスポイント＃６１から、サービス・プロバイダ・サーバ２の加入するＩＳＰ−Ｂに対するネットワーク・プロバイダ４の最寄アクセスポイント＃６２までの通信設備を保証し、その通信性能情報をサービス・リクエスタ・サーバ３に提供する。この場合、サービス・リクエスタ・サーバ３に対し発生し得るネットワーク使用料は、アクセスポイント＃６１からアクセスポイント＃６２までの部分と、ＩＳＰ−Ｂにおけるネットワークの利用に対するものである。また、これに加えてＷｅｂサービスの利用料が発生することもある。
【００５５】
図８は、ネットワーク・プロバイダがネットワーク提供サーバ１１及びプライベートＵＤＤＩサーバ１２を所有しない場合における、本発明のシステム構成図である。
【００５６】
ここではサービス・リクエスタ・サーバ３の加入するＩＳＰ（ＩＳＰ−Ａ）と、サービス・プロバイダ・サーバ２の加入するＩＳＰ（ＩＳＰ−Ｂ）とは異なるケースを想定する（もちろん、３つとも異なっても、１つだけ同じでも、全て同じでも同様のことがいえる）。
【００５７】
システム形態としては図７のケースと同様になるが、プライベートＵＤＤＩサーバ１２事業者が検索情報の提供を、ネットワーク・プロバイダが通信設備の提供を行う。両者間における料金のやり取りは両者の契約に基づく。
【００５８】
尚、この場合、サービス・リクエスタ・サーバ３に対し発生し得るネットワーク使用料は、その加入するＩＳＰ−Ａに対するネットワーク・プロバイダ４の最寄のアクセスポイント＃７１から、サービス・プロパイダのＩＳＰ−Ｂに対するネットワーク・プロバイダ４の最寄アクセスポイント＃７２までの部分と、サービス・プロバイダ・サーバ２のＩＳＰ−Ｂにおけるネットワークの利用に対するものである。
【００５９】
図９は、本発明におけるサービス及び金銭情報の流れを示すシーケンス図である。
【００６０】
▲１▼サービス・プロバイダ・サーバ２は、ＷｅｂサービスをパブリックなＵＤＤＩに登録することにより、通信性能サービスを提供するプライベートＵＤＤＩサーバの運営事業者と、同一又はそれと提携するネットワーク・プロバイダとに、通知及び通信性能保証サービスヘの登録をする。但し、その登録にあたり以下の事項に同意する必要がある。
【００６１】
まず、サービス・プロバイダ・サーバ２からネットワーク・プロバイダに対する通信性能保証サービスヘの登録料及び支払いの基準等は共に双方の取り決めにより事前に同意する必要がある。
【００６２】
▲２▼次に、サービス・プロバイダ・サーバ２は、可能な場合、自社のバックエンドシステムの性能情報をネットワーク・プロバイダに申告する。
【００６３】
▲３▼性能情報の申告後、ネットワーク・プロバイダは、可能な場合、サービス・プロバイダ・サーバ２に対し定期的に測定用データを送信して、その性能を測定することができる。また測定の結果として得られる信頼性の扱いについては、ネットワーク・プロバイダとサービス・プロバイダ・サーバ２とにおける双方の同意が事前に結ばれている必要がある。
【００６４】
▲４▼通信性能保証サービスヘの登録後は、サービス・プロバイダ・サーバ２は、登録したプライベートＵＤＤＩサーバ１２によって、そのサービスを通信性能情報を付加してインターネット上に公開することができる。また、サービス・リクエスタ・サーバ３からのアクセスに対し双方の最寄のアクセスポイントからネットワーク・プロバイダ４の提供する通信設備を使用してサービスを提供でき、サービス・リクエスタ・サーバ３に対し信頼性の高いサービスを提供することができる。
【００６５】
▲５▼サービス・リクエスタ・サーバ３は、使用するネットワークの料金が発生する場合それをネットワーク・プロバイダヘ、又は、利用するＷｅｂサービスの課金が発生する場合にはそれをサービス・プロバイダ・サーバ２ヘ、支払う必要がある。但し、この時、これら代金を一括してネットワーク・プロバイダに支払う選択をすることも可能である。
【００６６】
▲６▼その場合、ネットワーク・プロバイダは、それら代金の回収、並びにＷｅｂサービス利用料の各サービス・プロバイダ・サーバ２ヘの決済代行を行うこともできる。
【００６７】
尚、本発明の通信性能保証サービスにおけるＵＤＤＩとは、前述したＵＤＤＩ．ｏｒｇにおけるＵＢＲ（ＵＤＤＩ  Ｂｕｓｉｎｅｓｓ  Ｒｅｇｉｓｔｒｙ）のみを指すものではなく、一般的なプライベートＵＤＤＩサーバ１２又はレジストリ代行機能をも含む。ＵＤＤＩは、その最新の仕様ＵＤＤＩｖｅｒ．３においてＵＤＤＩ同士のグローバルな連携をサポートしており、今後様々な形でＷｅｂサービスのサービス・レジストリが、互いに情報を共有していく事が想定でき、つまりプライベートなＵＤＤＩを運営する場合においても本発明を利用することができる。
【００６８】
図１０は、セキュアな通信環境の下での旅行予約Ｗｅｂサービスの提供事例のシステム構成図である。以下では、▲１▼〜▲６▼のシーケンスに沿って説明する。
【００６９】
▲１▼旅行を計画するエンドユーザ端末５は、自身の予算や趣味・日程等の条件に合うサービスをインターネット上で検索したいと希望し、旅行ポータルサイトにアクセスする。
【００７０】
▲２▼旅行ポータルは、インターネット上でネットワーク・プロバイダの運営するプライベートＵＤＤＩサーバ１２にアクセスし、エンドユーザ端末５の入力した条件に合うサービスを検索・照会する。
【００７１】
▲３▼旅行ポータルからのリクエストに応じ、プライベートＵＤＤＩサーバ１２によっていくつかのサービスのセットが提供される。この例によれば、これらは航空機、現地での宿泊先、現地で使うレンタカーサービス等が条件に合う形でセットで提供されているものである。このとき、２つのパック（Ａ，Ｂ）が提供されたが、通信性能保証サービスに登録しているサービス・プロバイダ・サーバ２の提供するセットであるパックＡについては、Ｗｅｂサービス実行時のネットワーク環境についての保証項目（セキュアな通信の保証や通信性能）が提供されている。
【００７２】
▲４▼エンドユーザ端末５は、旅行ポータルの画面上でパックＡを選択した。これにより、安全かつ信頼できる環境の下で旅行の手配を行った。
【００７３】
▲５▼ここで一般的な料金としては、発生する場合にはネットワーク使用料、及び同予約サービスのＷｅｂサービス利用料、選択した旅行代金がある。今回のケースでは、サービス・プロバイダ・サーバ２の加入するＩＳＰ、サービス・リクエスタ・サーバ３の加入するＩＳＰ、ネットワーク・プロバイダ４の三者が全て同一であったため、発生した料金はＷｅｂサービス利用料とパックＡの旅行代金のみであった。また、それらの支払い方法については様々な方法があるが、ここでは、エンドユーザ端末５の加入するＩＳＰは、ネットワーク・プロバイダ４と同一で、かつ料金の支払いはネットワーク・プロバイダ４が代行できる。エンドユーザ端末５は、それら代金を一括してネットワーク・プロバイダ４に支払った。
【００７４】
▲６▼ネットワーク・プロバイダ４はエンドユーザ端末５からの支払いについて各サービス・プロバイダ・サーバ２に対して決済代行する。
【００７５】
図１１は、セキュアな通信環境の下で、ミッションクリティカルな企業間取引を示すシステム構成図である。以下では、▲１▼〜▲６▼のシーケンスに沿って説明する。
【００７６】
▲１▼大手メーカーは、部品サプライヤに対して製品の増産を伝える。
▲２▼部品サプライヤは、インターネット上でＷｅｂサービスにより情報を提供している製作所の集合ポータルにアクセスし、期限内での納品が可能な製作所を検索する。
▲３▼ポータルは、ネットワーク・プロバイダ４によって運営されているプライベートＵＤＤＩサーバ１２にアクセスし、条件に合うサービスを検索・照会する。
▲４▼ポータルは、プライベートＵＤＤＩサーバ１２の検索情報により条件に該当する製作所Ａ，Ｂを発見する。製作所Ａ及びＢは共に、期限内での納品が可能であることが分かった。そのうち、製作所Ａの検索情報には、製作所Ａが通信性能保証サービスに登録しており、応答時間及びデータのセキュリティが高い信頼性で保証されていることが明示されている。
▲５▼システムの連携にミッションクリティカルな要素が求められる状況から、部品サプライヤでは、製作所Ａに発注することを決定し、ポータルを介して製作所Ａにアクセスし所定の取引を行う。これらの業務プロセスは全てネットワーク・プロバイダ４の提供するネットワークを用いたシステム連携によって行われる。
▲６▼保証された通信時間で発注処理までが完了しサプライヤは期限内での納品を遂行することができた。
【００７７】
【発明の効果】
以上、詳細に説明したように、本発明によれば、ネットワーク提供サーバとプライベートＵＤＤＩサーバとの連携によって、Ｗｅｂサービスの検索情報だけでなく、ネットワーク通信性能情報をインターネット上に公開することができ、Ｗｅｂサービスの品質又はネットワーク環境の保証をすることができる。このような通信性能保証サービスにより、利用者としてはミッションクリティカルな業務がインターネット上で実現できる。特に、企業間商取引の観点からは、企業プロセス同士の動的な連携、流動的な協調を促し、非常に大きな効果が得られると期待される。
【００７８】
通常、インターネット上のＷｅｂサービスについて、不特定多数のサービス・プロバイダ・サーバが存在し、ＵＤＤＩへの登録情報又はサービス・リクエスタ・サーバからの動的な照会だけでは、登録情報の正確性又は信頼性を測ることは困難である。そこで、通信性能保証サービスヘの加入によって、何らかの認定基準を設定することにより、サービス・プロバイダ・サーバ２の登録情報に信頼性を持たせることもできる。
【００７９】
また、通信性能保証サービスにおいて、ネットワーク・プロバイダは、提供する通信設備の使用料を得ることができる。更に、サービス・プロバイダ・サーバのＷｅｂサービスが、サービス・リクエスタ・サーバ又はエンドユーザ端末５に対して料金を課すものである場合、料金をネットワーク・プロバイダが代行して回収し、その後サービス・プロバイダ・サーバへ支払うような支払代行業務も行うことができる。
【００８０】
尚、経済的効果としては、ネットワーク・プロバイダは、高い付加価値サービスを提供できるので、サービス・プロバイダ・サーバ２の契約数増加が見込め、収益基盤拡大につながる。また、ネットワーク・プロバイダは、サービス・リクエスタ・サーバ３又はサービス・プロバイダ・サーバ２の通常のネットワーク使用料に加え、通信性能保証サービスに加入するサービス・プロバイダ・サーバ２から通信性能保証サービスの利用料を得ることにより収益をあげることもできる。
【図面の簡単な説明】
【図１】従来のシステム構成図である。
【図２】本発明によるシステム構成図である。
【図３】本発明によるネットワーク提供を示すシステム構成図である。
【図４】本発明によるネットワーク提供サーバ１１の機能構成図である。
【図５】異なるＩＳＰに加入するサービス・リクエスタ・サーバ３からのアクセス時における本発明のシステム構成図である。
【図６】異なるＩＳＰに加入するサービス・プロバイダ・サーバ２の検索における本発明のシステム構成図である。
【図７】異なるＩＳＰに加入するサービス・リクエスタ・サーバ３と、異なるＩＳＰに加入するサービス・プロバイダ・サーバ２との間で、ネットワークを提供する本発明によるシステム構成図である。
【図８】ネットワーク・プロバイダがネットワーク提供サーバ１１及びプライベートＵＤＤＩサーバ１２を所有しない場合における、本発明のシステム構成図である。
【図９】本発明におけるサービス及び金銭情報の流れを示すシーケンス図である。
【図１０】セキュアな通信環境の下での旅行予約Ｗｅｂサービスの提供事例のシステム構成図である。
【図１１】セキュアな通信環境の下で、ミッションクリティカルな企業間取引を示すシステム構成図である。
【符号の説明】
１０  パブリックＵＤＤＩサーバ
１１  プライベートＵＤＤＩサーバ
１１０  ＵＤＤＩ複製データベース
１１１  ネットワーク通信性能データベース
１１２  バックエンド性能データベース
１１３  ＵＤＤＩインタフェース部
１１４  代行決済部
２  サービス・プロバイダ・サーバ
３  サービス・リクエスタ・サーバ
４  ネットワーク
５  エンドユーザ端末
６  ネットワーク・プロバイダ課金部
【図１】
2004246784.tif 000003
【図２】
2004246784.tif 000004
【図３】
2004246784.tif 000005
【図４】
2004246784.tif 000006
【図５】
2004246784.tif 000007
【図６】
2004246784.tif 000008
【図７】
2004246784.tif 000009
【図８】
2004246784.tif 000010
【図９】
2004246784.tif 000011
【図１０】
2004246784.tif 000012
【図１１】
2004246784.tif 000013